(57)【要約】 【課題】前照灯を利用して収穫装置を照明できる収穫機を提供する。【解決手段】走行車体の前部に連結された収穫装置６を備えている。運転キャビン３０の前部の上端側に設けた上前照灯５０と、運転キャビン３０の前部の下端側に設けた下前照灯５３，５４とを備えている。【選択図】図４
2014200220.tif 000002
【特許請求の範囲】
【請求項１】
走行車体に設けられた運転キャビンと、
前記走行車体の前部に連結された収穫装置と、
前記運転キャビンの前部の上端側に設けた上前照灯と、
前記運転キャビンの前部の下端側に設けた下前照灯と、を備えてある収穫機。
【請求項２】
前記運転キャビンの前部の上端側に作業灯を設けてある請求項１に記載の収穫機。
【請求項３】
前記上前照灯及び前記作業灯を、前記運転キャビンの左横端寄り及び右横端寄りの部位それぞれに配置してある請求項２に記載の収穫機。
【請求項４】
前記上前照灯と前記作業灯とが走行車体横方向に並んでいる請求項２又は３に記載の収穫機。
【請求項５】
前記上前照灯が前記作業灯よりも走行車体横外側に位置している請求項４に記載の収穫機。
【請求項６】
前記運転キャビンの前部の上端側に作業灯を設け、
前記上前照灯の走行車体横外側に、前記作業灯とは別の作業灯を設けてある請求項１〜５のいずれか一項に記載の収穫機。
【請求項７】
前記別の作業灯を前記上前照灯よりも下方に配置してある請求項６に記載の収穫機。
【請求項８】
前記下前照灯を、前記運転キャビンの左横端寄りの部位及び右横端寄りの部位それぞれに配備してある請求項１〜７のいずれか一項に記載の収穫機。
【請求項９】
前記下前照灯を、照明光を前下向きに照射する下向き照射状態と、照明光を前記前下向き照射状態の照明光の照射方向よりも上向きに照射する上向き照射状態とに切換え自在に構成してある請求項１〜８のいずれか一項に記載の収穫機。
【請求項１０】
前記下前照灯を、前記運転キャビンの左横端寄りの部位及び右横端寄りの部位に夫々複数個ずつ設けてある請求項１〜９のいずれか一項に記載の収穫機。
【請求項１１】
前記複数の下前照灯のうち少なくとも一つの下前照灯を、照明光を前下向きに照射するように構成し、
前記複数の下前照灯のうちの前記少なくとも一つの下前照灯以外の少なくとも一つの下前照灯を、照明光を前記前下向き照射の照明光の照射方向よりも上向きに照射するように構成してある請求項１０又は１１に記載の収穫機。
【請求項１２】
前記複数の下前照灯が走行車体横方向に一列又はほぼ一列に並んでいる請求項１０又は１１に記載の収穫機。
【請求項１３】
前記複数の下前照灯のうちの走行車体横内側の下前照灯を、照明光を前下向きに照射するように構成し、
前記複数の下前照灯のうちの走行車体横外側の下前照灯を、照明光を前記前下向き照射の照明光の照射方向よりも上向きに照射するように構成してある請求項１２に記載の収穫機。
【請求項１４】
前記上前照灯を走行車体前横外方に対する照明光を照射するように構成してある請求項１〜１３のいずれか一項に記載の収穫機。
【請求項１５】
前記運転キャビンの前部の上端側に作業灯を設け、
前記上前照灯よりも走行車体横外側に、前記作業灯とは別の作業灯を設け、
前記作業灯及び前記別の作業灯のうちの一方を、前記収穫装置に照明光を照射するよう構成してある請求項１〜１４のいずれか一項に記載の収穫機。
【請求項１６】
前記作業灯及び前記別の作業灯のうちの他方を、前記収穫装置よりも走行機体横外側に照明光を照射するように構成してある請求項１５に記載の収穫機。
【請求項１７】
前記運転キャビンの前部の上端側に作業灯を設け、
前記上前照灯よりも走行車体横外側に、前記作業灯とは別の作業灯を設け、
前記作業灯を、前記収穫装置に照明光を照射するよう構成し、
前記別の作業灯を、前記収穫装置よりも走行車体横外側に照明光を照射するように構成してある請求項１〜１６のいずれか一項に記載の収穫機。
【請求項１８】
前記運転キャビンの後部に走行車体後方側を照明する後作業灯を設けてある請求項１〜１７のいずれか一項に記載の収穫機。
【請求項１９】
前記運転キャビンのルーフ部を支持する上フレームが前記運転キャビンに設けられ、
前記上前照灯が前記上フレームに支持されている請求項１〜１８のいずれか一項に記載の収穫機。
【請求項２０】
前記運転キャビンの床部を支持する下フレームが前記運転キャビンに設けられ、
前記下前照灯が前記下フレームに支持されている請求項１〜１９のいずれか一項に記載の収穫機。
【請求項２１】
前記運転キャビンの前部の上端側に作業灯を設け、
前記運転キャビンのルーフ部を支持する上フレームが前記運転キャビンに設けられ、
前記作業灯が前記上フレームに支持されている請求項１〜２０のいずれか一項に記載の収穫機。
【請求項２２】
前記上前照灯の走行車体横外側に、前記作業灯とは別の作業灯を設け、
前記運転キャビンの前壁部を支持する縦フレームが前記運転キャビンに設けられ、
前記別の作業灯が前記縦フレームに支持されている請求項２１に記載の収穫機。
【請求項２３】
前記収穫装置がトウモロコシを収穫するよう構成され、
前記収穫装置に、トウモロコシを収穫する収穫経路と、前記収穫経路の走行車体横外側に立設され、前記収穫装置外へのトウモロコシのこぼれ出しを防止する縦壁部とを備えてある請求項１〜２２のいずれか一項に記載の収穫機。
【請求項２４】
前記上前照灯を、前記縦壁部よりも走行車体横外側に照明光を照射するように構成してある請求項２３に記載の収穫機。
【請求項２５】
前記下前照灯の点灯操作によって前記上前照灯が点灯されるように構成してある請求項１〜２４のいずれか一項に記載の収穫機。
【発明の詳細な説明】
【技術分野】
【０００１】
本発明は、走行車体に設けられた運転キャビンと、前記走行車体の前部に連結された収穫装置とを備えた収穫機に関する。
【背景技術】
【０００２】
従来、例えば特許文献１に示されるように、走行機体の前方に配置された収穫装置としての前処理部、走行機体に設けられた運転キャビンとしてのキャビン、キャビンの上部に設けられた前照灯を備えたコンバインがあった。
【先行技術文献】
【特許文献】
【０００３】
【特許文献１】特開２００５−５３４４９号公報
【発明の概要】
【発明が解決しようとする課題】
【０００４】
上記した従来の前照灯に関する技術を適用した場合、前照灯による照明光の前方に向けての照射を高所から行わせることにより、収穫装置には前照灯による照明の影響が及び難く、夜間作業の際、収穫装置が見え難くい問題があった。
【０００５】
本発明の目的は、前照灯を利用して収穫装置を照明し易い収穫機を提供することにある。
【課題を解決するための手段】
【０００６】
本発明による収穫機は、
走行車体に設けられた運転キャビンと、
前記走行車体の前部に連結された収穫装置と、
前記運転キャビンの前部の上端側に設けた上前照灯と、
前記運転キャビンの前部の下端側に設けた下前照灯と、を備えてあることを特徴とする。
【０００７】
本構成によると、高所から照明光を照射する上前照灯による照明、及び低所から照明光を照射する下前照灯による照明の両方の照明によって前方を照明するから、照明光の一部が収穫装置に当たるように構成しても、前方の照明を支障なく行わせることができる。
【０００８】
従って、本発明によると、夜間作業であっても、前方の照明を支障なく行わせて走行し易いのみならず、収穫装置を前照灯によって照明し易く、収穫装置の状況を把握し易くて作業し易い。
【０００９】
本発明において、前記運転キャビンの前部の上端側に作業灯を設けると好適である。
【００１０】
本構成によると、作業灯によって収穫装置を後方上方から照明させて収穫装置をより見易くできる。
【００１１】
従って、本発明によると、収穫装置の状況をより適確に把握し易くて、より作業し易い。
【００１２】
本発明において、前記上前照灯及び前記作業灯を、前記運転キャビンの左横端寄り及び右横端寄りの部位それぞれに配置すると好適である。
【００１３】
本構成によると、上前照灯及び作業灯による前方及び収穫装置の照明を後方上方の左右両側から行わせて、照明漏れを発生し難くできる。
【００１４】
従って、本発明によると、前方も収穫装置もより見易くて、作物に対する収穫装置に位置合わせ、及び収穫装置の状況把握をより行い易いなど、より作業し易い。
【００１５】
本発明において、前記上前照灯と前記作業灯とが走行車体横方向に並ぶ構成を採用すると好適である。
【００１６】
上前照灯及び作業灯を上下に並べた場合、下側に位置する上前照灯あるいは作業灯の取付高さを所定高さにすると、上側に位置する作業灯あるいは上前照灯の取付高さが高くなりがちである。本構成によると、上前照灯及び作業灯が車体横方向に並ぶから、上前照灯及び作業灯の取付高さを同じ又はほぼ同じ取付高さにしながら、上前照灯及び作業灯の取付高さを所定又はほぼ所定の取付高さにできる。
【００１７】
従って、本発明によると、上前照灯及び作業灯の取付高さを所定又はほぼ所定の取付高さにして上前照灯及び作業灯による照明を良好に行わせながら、照明灯のために機体高さが高くなることを抑制できる。
【００１８】
本発明において、前記上前照灯が前記作業灯よりも走行車体横外側に位置する構成を採用すると好適である。
【００１９】
本構成の如く上前照灯が作業灯よりも走行車体横外側に位置する場合、収穫装置の横外側方が上前照灯の照明範囲に入るようにするのに、作業灯が上前照灯よりも走行車体横外側に位置する場合に比して、作業灯の取付位置を車体横内側にできる。
【００２０】
従って、本発明によると、収穫装置の横外側方を上前照灯の照明範囲に入れて、収穫装置の横外側を見易くしても、上前照灯及び作業灯のために機体横幅が広くなることを抑制できる。
【００２１】
本発明において、前記運転キャビンの前部の上端側に作業灯を設け、前記上前照灯の走行車体横外側に、前記作業灯とは別の作業灯を設けると好適である。
【００２２】
本構成によると、作業灯の照明範囲と、別の作業灯の照明範囲とによって作業用の照明範囲を広くしたり、作業灯の照明光と、別の作業灯の照明光とによって作業用の照明範囲をより明るく照明したりできる。
【００２３】
従って、本発明によると、収穫装置のみならず、収穫装置の横外側も作業灯の照明範囲にするとか、収穫装置を明るく照明するなどして、作業をよりし易くできる。
【００２４】
本発明において、前記別の作業灯を前記上前照灯よりも下方に配置すると好適である。
【００２５】
本構成によると、作業用の照明を主目的とする別の作業灯による照明を、走行用の照明を主目的とする上前照灯よりも低い箇所から行わせて、収穫装置や収穫装置の横外側などの照明を良好に行わせることができる。
【００２６】
従って、本発明によると、収穫装置や収穫装置の横外側の状況をより把握し易いなど、より作業し易い。
【００２７】
本発明において、前記下前照灯を、前記運転キャビンの左横端寄りの部位及び右横端寄りの部位それぞれに配備すると好適である。
【００２８】
本構成によると、左横端寄りの下前照灯による照明範囲と、右横端寄りの下前照灯による照明範囲とによって下前照灯全体による照明範囲を広くしたり、左横端寄りの下前照灯による照明光と、右横端寄りの下前照灯による照明光とによって下前照灯による照明を明るくしたりできる。
【００２９】
従って、本発明によると、下前照灯全体によって広い範囲にわたって照明するとか、明るく照明することができて、より走行し易い。
【００３０】
本発明において、前記下前照灯を、照明光を前下向きに照射する下向き照射状態と、照明光を前記前下向き照射状態の照明光の照射方向よりも上向きに照射する上向き照射状態とに切換え自在に構成すると好適である。
【００３１】
本構成によると、下前照灯を上向き照射状態に切り換えて前方を遠くまで見易く照明したり、下前照灯を下向き照射状態に切り換えて前方近くを見易く照明したりできる。
【００３２】
従って、本発明によると、移動走行の際、前方を遠くまで見易く照明して走行し易くしたり、作業走行の際、前方近くを見易く照明して作物に対する収穫装置の位置合わせを容易にしたりできる。
【００３３】
本発明において、前記下前照灯を、前記運転キャビンの左横端寄りの部位及び右横端寄りの部位に夫々複数個ずつ設けると好適である。
【００３４】
本構成によると、左横端寄りの複数個の下前照灯による照明範囲と、右横端寄りの複数個の下前照灯による照明範囲とによって下前照灯全体による照明範囲をより広くしたり、左横端寄りの複数個の下前照灯による照明光と、右横端寄りの複数個の下前照灯による照明光とによって下前照灯による照明をより明るくしたりできる。
【００３５】
従って、本発明によると、下前照灯全体によってより広い範囲にわたって照明するとか、より明るく照明することができて、より一層走行し易い。
【００３６】
本明において、前記複数の下前照灯のうち少なくとも一つの下前照灯を、照明光を前下向きに照射するように構成し、前記複数の下前照灯のうちの前記少なくとも一つの下前照灯以外の少なくとも一つの下前照灯を、照明光を前記前下向き照射の照明光の照射方向よりも上向きに照射するように構成すると好適である。
【００３７】
本構成によると、下前照灯を下向き照射状態と上向き照射状態とに切換え自在に構成するのに、照射光を前下向きだけに照射する下向き照射専用の下前照灯部と、照射光を前下向きより上向きだけに照射する上向き照射専用の下前照灯部とを準備するだけで構成できる。
【００３８】
従って、本発明によると、下前照灯による照明向きを前下向きと前下向きよりも上向きとに切り換えられる便利なものを安価に得ることができる。
【００３９】
本発明において、前記複数の下前照灯が走行車体横方向に一列又はほぼ一列に並ぶ構成を採用すると好適である。
【００４０】
本構成によると、複数個の下前照灯が上下に並ぶ場合に比べ、車体上下方向での広さが狭いスペースに複数個の下前照灯を組み付けることができる。
【００４１】
従って、本発明によると、複数個の下前照灯を車体上下方向での広さが狭いスペースにコンパクトに組み付けることができる。
【００４２】
本発明において、前記複数の下前照灯のうちの走行車体横内側の下前照灯を、照明光を前下向きに照射するように構成し、前記複数の下前照灯のうちの走行車体横外側の下前照灯を、照明光を前記前下向き照射の照明光の照射方向よりも上向きに照射するように構成すると好適である。
【００４３】
運転キャビンの左横端寄り及び右横端寄りに走行車体横方向に一列又はほぼ一列に設ける複数個の下前照灯のうち、走行車体横外側の下前照灯は、収穫装置の横端部の近くに位置しがちである。収穫装置の横端部に収穫物のこぼれ出しを防止する縦壁部が備えられるなど、収穫装置の横端部の高さが高くなることがある。
【００４４】
本構成によると、収穫装置の横端部の近くに位置しがちな走行車体横外側の下前照灯を、照射光を前下向きよりも上向きに照射するよう構成してあるから、収穫装置の横端部の近くに位置しがちな下前照灯による照明光の前方照射を収穫装置の横端部による障害を受けにくい状態で行わせることができる。
【００４５】
従って、本発明によると、運転キャビンの左横端寄りの部位及び右横端寄りの部位に複数個の下前照灯を車体横方向に並べて設けるものでありながら、下前照灯による前方の照明を収穫装置による障害を受けにくい状態で良好に行わせることができる。
【００４６】
本発明において、前記上前照灯を走行車体前横外方に対する照明光を照射するように構成すると好適である。
【００４７】
本構成によると、走行車体前横外側の圃場面や作物を上前照灯によって照明されるから、走行車体前横外側における地面や作物の状況を見易い。
【００４８】
従って、本発明によると、走行車体の横側での圃場面や作物の状況を把握し易くて走行及び作業をし易い。
【００４９】
本発明において、前記運転キャビンの前部の上端側に作業灯を設け、前記上前照灯よりも走行車体横外側に、前記作業灯とは別の作業灯を設け、前記作業灯及び前記別の作業灯のうちの一方を、前記収穫装置に照明光を照射するよう構成すると好適である。
【００５０】
本構成によると、収穫装置に後方の高い箇所から照明光が照射されるから、収穫装置を照明漏れが発生し難い状態で照明できて収穫装置を全体にわたって見易い。
【００５１】
従って、本発明によると、収穫装置の全体にわたる状況を把握し易くて作業し易い。
【００５２】
本発明において、前記作業灯及び前記別の作業灯のうちの他方を、前記収穫装置よりも走行機体横外側に照明光を照射するように構成すると好適である。
【００５３】
本構成によると、収穫装置の横外側における地面や作物が作業灯によって照明されて、収穫装置の横外側における地面や作物の状況を見易い。
【００５４】
従って、本発明によると、収穫装置の横外側おける地面や作物の状況を把握し易くて走行や作業を行ない易い。
【００５５】
本発明において、前記運転キャビンの前部の上端側に作業灯を設け、前記上前照灯よりも走行車体横外側に、前記作業灯とは別の作業灯を設け、前記作業灯を、前記収穫装置に照明光を照射するよう構成し、前記別の作業灯を、前記収穫装置よりも走行車体横外側に照明光を照射するように構成すると好適である。
【００５６】
本構成によると、収穫装置が作業灯によって照明されるから収穫装置を見易いのみならず、収穫装置の走行車体横外側に別の作業灯によって照明光が照射されるから、収穫装置の横外側における地面や作物を照明できて見易い。
【００５７】
従って、本発明によると、収穫装置の状況を把握し易いのみならず、収穫装置の横外側における地面や作物の状況を把握し易くて作業し易い。
【００５８】
本発明において、前記運転キャビンの後部に走行車体後方側を照明する後作業灯を設けると好適である。
【００５９】
本構成によると、走行車体後方側が後作業灯によって照明されるから、車体後方側の装置部分を見易い。
【００６０】
従って、本発明によると、夜間でも、照明装置を特別に準備せずとも、車体後方側の状況を知って作業したり走行したりできる。
【００６１】
本発明において、前記運転キャビンのルーフ部を支持する上フレームが前記運転キャビンに設けられ、前記上前照灯が前記上フレームに支持される構成を採用すると好適である。
【００６２】
本構成によると、上フレームを支持部材に利用した簡素な支持構造で上前照灯を強固に支持させることができる。
【００６３】
従って、本発明によると、上前照灯を強固に支持させるものを、簡素な支持構造の採用によって安価に得ることができる。
【００６４】
本発明において、前記運転キャビンの床部を支持する下フレームが前記運転キャビンに設けられ、前記下前照灯が前記下フレームに支持される構成を採用すると好適である。
【００６５】
本構成によると、下フレームを支持部材に利用した簡素な支持構造で下前照灯を強固に支持させることができる。
【００６６】
従って、本発明によると、下前照灯を強固に支持させるものを、簡素な支持構造の採用によって安価に得ることができる。
【００６７】
本発明において、前記運転キャビンの前部の上端側に作業灯を設け、前記運転キャビンのルーフ部を支持する上フレームが前記運転キャビンに設けられ、前記作業灯が前記上フレームに支持される構成を採用すると好適である。
【００６８】
本構成によると、上フレームを支持部材に利用した簡素な支持構造で作業灯を強固に支持させることができる。
【００６９】
従って、本発明によると、作業灯を強固に支持させるものを、簡素な支持構造の採用によって安価に得ることができる。
【００７０】
本発明において、前記上前照灯の走行車体横外側に、前記作業灯とは別の作業灯を設け、前記運転キャビンの前壁部を支持する縦フレームが前記運転キャビンに設けられ、前記別の作業灯が前記縦フレームに支持される構成を採用すると好適である。
【００７１】
本構成によると、縦フレームを支持部材に利用した簡素な支持構造で別の作業灯を強固に支持させることができる。
【００７２】
従って、本発明によると、別の作業灯を強固に支持させるものを、簡素な支持構造の採用によって安価に得ることができる。
【００７３】
本発明において、前記収穫装置がトウモロコシを収穫するよう構成され、前記収穫装置に、トウモロコシを収穫する収穫経路と、前記収穫経路の走行車体横外側に立設され、前記収穫装置外へのトウモロコシのこぼれ出しを防止する縦壁部とを備えると好適である。
【００７４】
本構成によると、収穫装置によって収穫されるトウモロコシのこぼれ出しが縦壁部によって防止されるから、トウモロコシの収穫装置からのこぼれ出しによる損失を回避し易い。
【００７５】
従って、本発明によると、トウモロコシのこぼれ出しによる損失が生じにくい良好な状態で収穫作業できる。
【００７６】
本発明において、前記上前照灯を、前記縦壁部よりも走行車体横外側に照明光を照射するように構成すると好適である。
【００７７】
本構成によると、縦壁部よりも走行車体横外側における地面や作物を上前照灯によって照明できて、その地面や作物の状況を見易い。
【００７８】
従って、本発明によると、トウモロコシのこぼれ出しを縦壁部によって回避しやすいものでありながら、縦壁部の横外側における地面や作物の状況を把握し易くて作業し易い。
【００７９】
本発明において、前記下前照灯の点灯操作によって前記上前照灯が点灯されるように構成すると好適である。
【００８０】
本構成によると、下前照灯の点灯操作によって下前照灯及び上前照灯を一挙に点灯できる。
【００８１】
従って、本発明によると、下前照灯の点灯操作を行うだけで操作簡単に下前照灯及び上前照灯を点灯させることができて便利である。
【図面の簡単な説明】
【００８２】
【図１】収穫機の全体を示す左側面図である。
【図２】収穫機の全体を示す平面図である。
【図３】収穫機の全体を示す右側面図である。
【図４】収穫機の全体を示す正面図である。
【図５】運転部を示す正面図である。
【図６】運転部を示す平面図である。
【図７】運転部を示す側面図である。
【図８】上前照灯、作業灯及びメータパネルの支持構造を示す側面図である。
【図９】下前照灯の支持構造を示す側面図である。
【図１０】上前照灯、作業灯、別の作業灯及び後作業灯の照明状態を示す平面図である。
【図１１】上前照灯、作業灯、別の作業灯、下前照灯及び後作業灯の照明状態を示す側面図である。
【図１２】サイドパネルを示す平面図である。
【図１３】運転パネルを示す平面図である。
【図１４】主変速連係機構及び副変速連係機構を示す正面図である。
【図１５】主変速連係機構及び副変速連係機構を示す側面図である。
【図１６】主変速連係機構及び副変速連係機構を示す斜視図である。
【図１７】レバーガイドを示す平面図である。
【図１８】メータパネル及びサンバイザーが設けられた運転部の部位を示す後面図である。
【図１９】メータパネルを示す後面図である。
【図２０】制御装置が設けられた運転部の部位を示す縦断側面図である。
【図２１】制御装置を示す横断平面図である。
【図２２】別の実施構造を備えた収穫機を示す側面図である。
【発明を実施するための形態】
【００８３】
以下、本発明の実施の形態を図面に基づいて説明する。
図１は、本発明の実施例に係る収穫機の全体を示す左側面図である。図２は、本発明の実施例に係る収穫機の全体を示す平面図である。図３は、本発明の実施例に係る収穫機の全体を示す右側面図である。図４は、本発明の実施例に係る収穫機の全体を示す正面図である。図１〜４に示すように、本発明の実施例に係る収穫機は、左右一対の駆動自在な前車輪１，１と左右一対の操向操作自在な後車輪２，２とによって自走するよう構成した走行車体と、走行車体の前部に連結された収穫装置６と、走行車体の後部に設けた収穫物回収タンク７と、収穫装置６の後部と収穫物回収タンク７の上方とにわたって設けた搬送装置８と、走行車体の前後輪間の部位に昇降操作自在に支持された細断装置９とを備えている。
【００８４】
走行車体は、前車輪１と後車輪２との間に設けられ、前車輪１、収穫装置６及び搬送装置８それぞれの駆動力を出力するエンジン４を備えている。走行車体は、車体前部に設けられ、かつ運転キャビン３０によって覆われた運転部３を備え、運転部３に搭乗して運転するように乗用型に構成してある。運転キャビン３０の出入口の横外側に乗降ステップ３ａを設けてある。乗降ステップ３ａに対する乗り降りに使用する階段３ｂを、前車輪１の横外側に位置した使用状態と、前車輪１の後側に格納した格納状態とに揺動切換え自在に構成してある。収穫装置６は、昇降シリンダ５により、デバイダ１１の先端側が圃場面近くに下降した下降作業状態と、デバイダ１１の先端側が圃場面から高く上昇した上昇非作業状態とに昇降操作されるように構成してある。
【００８５】
収穫機は、収穫装置６を下降作業状態にして走行車体を走行させることにより、収穫装置６によってトウモロコシ植物体のうちのトウモロコシ（種子が棒状に連なって房になっている部位）を収穫し、収穫装置６からのトウモロコシを搬送装置８によって走行車体後方側に搬送し、搬送装置８からのトウモロコシを収穫物回収タンク７に回収して貯留していく。収穫装置６は、トウモロコシ植物体のうちのトウモロコシを収穫した茎稈を圃場に植立状態で残していく。細断装置９は、収穫装置６が圃場に残した茎稈を細断して圃場に放出していく。搬送装置８は、運転キャビン３０の下方を通るように配備してある。搬送装置８の搬送終端部には、搬送装置８から収穫物回収タンク７に供給されるトウモロコシに選別風を供給するファン装置８ａ、搬送装置８によって搬送されるトウモロコシに混入した茎稈や葉を除去する除去装置８ｂを設けてある。
【００８６】
収穫装置６について説明する。
図１，２，４に示すように、収穫装置６は、３列の収穫経路１２と、収穫経路１２の後側に駆動回動自在に設けられ、各収穫経路１２からのトウモロコシを走行車体横方向に搬送して搬送装置８の前方に寄せ集める回転オーガ１４と、回転オーガ１４の左右の螺旋搬送板１４ａ，１４ａの間の部位に一体回転自在に設けられ、トウモロコシを搬送装置８の入口に掻き込む掻込羽根１５とを備えている。各収穫経路１２は、両横側に駆動回動自在に設けられた無端回動収穫チェーン１６、及び無端回動収穫チェーン１６の下方に走行車体前後向きの軸芯まわりに駆動回動自在に設けられた収穫ロール１６ａを備え、無端回動収穫チェーン１６及び収穫ロール１６ａにより、デバイダ１１から送り込まれたトウモロコシ植物体を後方に移送しながら、トウモロコシ植物体のうちのトウモロコシを茎稈から引き離して収穫する。３列の収穫経路１２のうちの走行車体横方向での両横端の収穫経路１２それぞれの横外側に縦壁部１７を立設してある。左右の縦壁部１７は、無端回動収穫チェーン１６などを覆うケース１８から走行車体上方向きに突設されており、収穫経路１２から収穫装置６の横外側へこぼれ出ようとするトウモロコシを受け止めて、トウモロコシのこぼれ出しを防止する。
【００８７】
収穫物回収タンク７について説明する。
以下、収穫物回収タンク７を回収タンク７と略称する。回収タンク７は、回収タンク７の前後側に振り分け配置して車体フレーム１０に立設された前後一対のタンク支柱２２，２２に一本の支軸２３を介して揺動自在に支持されている。前後のタンク支柱２２，２２にわたって一対の補強杆２６，２６を連結してある。一方の補強杆２６は、前のタンク支柱２２の上端部と後のタンク支柱２２の下端部とに連結してあり、他方の補強杆２６は、前のタンク支柱２２の下端部と後のタンク支柱２２の上端部とに連結してある。回収タンク７は、前後のタンク支柱２２と回収タンク７とに連結してある昇降シリンダ２４より、支軸２３の軸芯で成る走行車体前後向きの揺動軸芯まわりに貯留姿勢と排出姿勢とに揺動切換えできる。回収タンク７は、貯留姿勢に切換えると、回収タンク７の上端部に設けてあるトウモロコシ出入口７ａが搬送装置８の排出口の下方に走行車体上方向きに位置し、搬送装置８から送り出されるトウモロコシを回収して貯留する。回収タンク７は、排出姿勢に切換えると、トウモロコシ出入口７ａが走行車体左横外向きになり、貯留していたトウモロコシをトウモロコシ出入口７ａから走行車体の左横外側に自然落下によって排出する。
【００８８】
運転キャビン３０について説明する。
図１〜５に示すように、運転キャビン３０は、車体フレーム１０の前部に設けられた運転部支持フレーム１０ａに支持されたキャビンフレーム４０と、キャビンフレーム４０に支持された前壁部３１、左右の横壁部３２、後壁部３３、床部３４及びルーフ部３５とを備えて構成してある。
【００８９】
運転キャビン３０は、運転キャビン３０の左側に設けてある乗降ステップ３ａ、及び運転キャビン３０で成る横幅が走行車体の横幅と同じ又はほぼ同じになるように、走行車体に対して右側に偏倚する状態で走行車体に支持されている。従って、運転キャビン３０の走行車体横方向中心Ｃが走行車体の横方向での中心Ｂに対して位置ずれしている。具体的には、運転キャビン３０の走行車体横方向中心Ｃが走行車体の横方向での中心Ｂよりも走行車体右側に位置している。
【００９０】
前壁部３１は、前壁部３１のうちの下端から上端近くまでのほぼ全体にわたる部分を形成するフロントガラス３１ａと、前壁部３１のうちのフロントガラス３１ａよりも上方に位置する部分を形成する上壁板部３１ｂ（図８参照）とを備えて構成してある。フロントガラス３１ａは、運転キャビン３０の前端側の下部に走行車体横向きに設けられてキャビンフレーム４０を構成している横向きの下フレーム４１、運転キャビン３０の前端側の両横端部に走行車体上下向きに設けられてキャビンフレーム４０を構成して左右一対の縦フレーム４２に支持されている。図８に示すように、上壁板部３１ｂは、ルーフ部３５の前端部から下方向きに延出する状態でルーフ部３５に一体形成されている。上壁板部３１ｂは、運転キャビン３０の前端側の上部に走行車体横向きに設けられてキャビンフレーム４０を構成している横向きの上フレーム４３にルーフ部３５を介して支持されている。
【００９１】
左右の横壁部３２に、ドア３２ａによって開閉自在な出入口を設けてある。左右の出入口のドア３２ａは、透明なガラス板によって構成してある。左右のドア３２ａは、前端側に位置する走行車体上下向きの開閉軸芯まわりでの揺動によって開閉するように揺動ドアに構成してある。後壁部３３の上部にガラス窓３３ａ（図５参照）を設けてある。
【００９２】
図２に示すように、ルーフ部３５の上面に、複数の走行車体前後向きの凹入溝３５ａ、及び走行車体前後向きの凹入溝３５ａに連通した複数の走行車体横向きの凹入溝３５ｂを設けてある。走行車体前後向きの凹入溝３５ａ、及び走行車体横向きの凹入溝３５ｂは、排水用の樋機能を備えている。ルーフ部３５は、前記横向きの上フレーム４３に支持される他、運転キャビン３０の上端部の両横側に走行車体前後向きに設けられてキャビンフレーム４０を構成している前後向きの上フレーム４４（図６，８参照）に支持されている。
【００９３】
床部３４は、前記横向きの下フレーム４１に支持される他、運転キャビン３０の下端部に走行車体前後向きに設けられてキャビンフレーム４０を構成している前後向きの下フレーム４５（図７，９参照）に支持されている。
【００９４】
照明について説明する。
図１，４に示すように、運転キャビン３０の前部の上端側に、左右一対の上前照灯５０，５０及び左右一対の作業灯５１，５１を設けてある。運転キャビン３０の上端部の両横側に、前記左右一対の作業灯５１，５１とは別の作業灯５２（以下、別作業灯５２と呼称する。）を設けてある。運転キャビン３０の前部の下端側に、４個の下前照灯５３，５４を設けてある。運転キャビン３０の後部に後作業灯５５を設けてある。
【００９５】
図４，８に示すように、左右一対の上前照灯５０，５０及び左右一対の作業灯５１，５１の上方が、運転キャビン３０の上端側に設けられた上フロントカバー部３５ｃによって覆われている。
【００９６】
左の上前照灯５０及び左の作業灯５１は、運転キャビン３０の左横端寄りの部位に配備してある。左の上前照灯５０と左の作業灯５１とは、走行車体横方向に並んでいる。左の上前照灯５０は、左の作業灯５１よりも走行車体左横外側に位置している。左の別作業灯５２は、左の上前照灯５０の走行車体左横外側に配置してある。左の別作業灯５２は、左の上前照灯５０よりも下方に配置してある。
【００９７】
右の上前照灯５０及び右の作業灯５１は、運転キャビン３０の右横端寄りの部位に配備してある。右の上前照灯５０と右の作業灯５１とは、走行車体横方向に並んでいる。右の上前照灯５０は、右の作業灯５１よりも走行車体右横外側に位置している。右の別作業灯５２は、右の上前照灯５０の走行車体右横外側に配置してある。右の別作業灯５２は、右の上前照灯５０よりも下方に配置してある。
【００９８】
左右の上前照灯５０及び左右の作業灯５１は、ルーフ部３５を支持する横向きの上フレーム４３に支持されている。
具体的には、図６，８に示すように、横向きの上フレーム４３に、左右一対のステーを取り付けて構成した左右一対のランプ支持部４３ａ，４３ａを備えてある。左右のランプ支持部４３ａは、前壁部３１のフロントガラス３１ａと上壁板部３１ｂとの間を通って運転キャビン３０の外部に突出している。上前照灯５０は、後部に設けてある連結部が横外側のランプ支持部４３ａに連結ボルトによって連結されることにより、上フレーム４３に支持されるようになっている。作業灯５１は、後部に設けてある連結部が横内側のランプ支持部４３ａに連結ボルトによって連結されることにより、上フレーム４３に支持されるようになっている。
【００９９】
左右の別作業灯５２は、前壁部３１を支持する縦フレーム４２に支持されている。
具体的には、図５，６に示すように、縦フレーム４２の所定箇所にステーを取付けて構成した作業灯支持部４２ａを備えてある。作業灯支持部４２ａは、横壁部３２に設けた孔を通って運転キャビン３０の外部に突出している。別作業灯５２は、後部に設けてある連結部を作業灯支持部４２ａに連結ボルトによって連結されることにより、縦フレーム４２に支持されるようになっている。
【０１００】
４個の下前照灯５３，５４のうちの左側の２個の下前照灯５３，５４は、運転キャビン３０の左横端寄りの部位に配備してある。４個の下前照灯５３，５４のうちの右側の２個の下前照灯５３，５４は、運転キャビン３０の右横端寄りの部位に配備してある。左横端寄りの２個の下前照灯５３，５４、及び右横端寄りの２個の下前照灯５３，５４は、走行車体横方向に一列又はほぼ一列に並んでいる。図１，９に示すように、４個の下前照灯５３，５４は、運転キャビン３０の下端側に設けられた下フロントカバー３６が備える投光孔３６ａの後方に位置している。
【０１０１】
下前照灯５３，５４は、前壁部３１を支持する横向きの下フレーム４１に支持されている。
具体的には、図５，９に示すように、下フレーム４１の所定箇所に、ステーを取付けて構成した作業灯支持部４１ａを備えてある。各下前照灯５３，５４は、後部に設けられた連結部が作業灯支持部４１ａに連結ボルトによって連結されることにより、下フレーム４１に支持されるようになっている。
【０１０２】
図１０，１１は、上前照灯５０、作業灯５１、別作業灯５２、及び後作業灯５５の照明状態を示す平面図である。図１０，１１に示す照射範囲５０Ｌは、左の上前照灯５０の照射範囲であり、図１０，１１に示す照射範囲５０Ｒは、右の上前照灯５０の照射範囲である。図１０，１１に示すように、左の上前照灯５０は、収穫装置６の上方を通して走行車体前方に照明光を照射するように、かつ左側の縦壁部１７の上方を通して走行車体前左横外方に照明光を照射するように構成してある。右の上前照灯５０は、収穫装置６の上方を通して走行車体前方に照明光を照射するように、かつ右側の縦壁部１７の上方を通して走行車体前右横外方に照明光を照射するように構成してある。従って、上前照灯５０及び下前照灯５３，５４により、走行車体の直前方を照明しながら、かつ、走行車体前方における収穫装置６の左横外側及び右横外側も縦壁部１７の存在にかかわらず照明しながら走行できる。
【０１０３】
図１０，１１に示す照明範囲５１Ｌは、左の作業灯５１の照明範囲であり、図１０に示す照明範囲５１Ｒは、右の作業灯５１の照明範囲である。図１０，１１に示す照明範囲５２Ｌは、左の別作業灯５２の照明範囲であり、図１０，１１に示す照明範囲５２Ｒは、右の別作業灯５２の照明範囲である。図１０，１１に示すように、左右の作業灯５１は、収穫装置６に照明光を照射するように構成してある。左の別作業灯５２は、収穫装置６よりも走行車体左横外側に照明光を照射するように構成してある。右の別作業灯５２は、収穫装置６よりも走行車体右横外側に照明光を照射するように構成してある。従って、左右の作業灯５１及び左右の別作業灯５２により、収穫装置６を照明しながら、かつ収穫装置６及び走行車体の左横外側及び右横外側の地面やトウモロコシ植物体を照明しながら作業走行できる。
【０１０４】
図１０，１１に示す照射範囲５５Ａは、後作業灯５５の照射範囲である。図１０，１１に示すように、後作業灯５５は、運転キャビン３０よりも走行車体後方側に設けてある作業台２０、搬送装置８の後部及び回収タンク７を照明し、ファン装置８ａ及び除去装置８ｂなどを点検や修理するとか、回収タンク７の内部を観察するなどの作業を容易にする。
【０１０５】
図１１に示す照射範囲５４Ｄは、左横端寄りの２個の下前照灯５３，５４のうちの走行車体横内側の下前照灯５４、及び右横端寄りの２個の下前照灯５３，５４のうちの走行車体横内側の下前照灯５４の照射範囲である。図１１に示す照射範囲５３Ｕは、左横端寄りの２個の下前照灯５３，５４のうちの走行車体横外側の下前照灯５３、及び右横端寄りの２個の下前照灯５３，５４のうちの走行車体横外側の下前照灯５３の照射範囲である。図１１に示すように、左横端寄り及び右横端寄りの２個の下前照灯５３，５４のうちの走行車体横内側の下前照灯５４は、前方照明を下向き照射状態で行うように構成してあり、照明光を前下向きに照射する。左横端寄り及び右横端寄りの２個の下前照灯５３，５４のうちの走行車体横外側の下前照灯５３は、前方照明を上向き照射状態で行うように構成してあり、走行車体横内側の下前照灯５４による照明光の照射方向よりも上向きの照射方向に照射光を照射する。
【０１０６】
運転部３について説明する。
図５は、運転部３を示す正面図である。図６は、運転部３を示す平面図である。図５，６に示すように、運転部３には、運転キャビン３０の内部の走行車体横方向での中央部に設けた運転座席６０、運転座席６０の右横側方に設けたサイドパネル６１、運転座席６０の前方に設けた操縦塔６２、操縦塔６２に支持された操向操作具６３、運転座席６０及びサイドパネル６１の前方に設けた通路部６４を備えてある。操縦塔６２の右横側方に、ブレーキペダル６５及びアクセルペダル６６を設けてある。運転座席６０の前方に、メータパネル６７及びサンバイザー６８を通路部６４の上方に配置して設けてある。運転座席６０の前方に、左右一対の足載せ台６９，６９を設けてある。
【０１０７】
運転座席６０は、運転キャビン３０の走行車体横方向中心Ｃに対して走行車体左横側に偏倚する状態で設けてある。
【０１０８】
通路部６４は、床面３４ａを運転部３の全幅にわたって設けて形成してある。従って、通路部６４は、床面３４ａの上を移動して、かつ運転座席６０及びサイドパネル６１と操縦塔６２との間を移動して運転部３の全幅にわって移動できるように、運転部３の全幅にわたって位置させてある。
【０１０９】
床面３４ａを運転部３の全長にわたって設けるとともに、運転座席６０のサイドパネル６１が位置する側とは反対側（運転座席６０の左横側）、サイドパネル６１の運転座席６０が位置する側とは反対側（サイドパネル６１の右横側）、及び操縦塔６２の両横側に、通路部６４と連なる空間Ｓを設けてある。従って、運転座席６０の横側の空間Ｓ、サイドパネル６１の横側の空間Ｓ、及び操縦塔６２の両横側の空間Ｓを、補助作業者や荷物の搭乗や積み込みなどに利用することが可能である。
【０１１０】
図６，１２に示すように、サイドパネル６１の前端における左右の角部６１ａを、平面視で円弧形状に形成してある。図５，７に示すように、サイドパネル６１は、運転座席６０の横側に立設されたサイドケース７０の上端部に配備されている。サイドケース７０は、走行車体前方側部における上端側部分７０ａが下端側部分７０ｂよりも前方側に膨出した形状に形成してある。従って、サイドケース７０の上端側部分７０ａの下方に床面３４ａを入り込ませながら、サイドパネル６１の前端を運転座席６０の前端寄りに位置させることができる。従って、通路部６４を移動する作業者は、サイドケース７０の付近の床面３４ａが広いことにより、サイドパネル６１の左の角部６１ａ及び右の角部６１ａに当たり難いことにより、移動し易い。
【０１１１】
操縦塔６２に支持された操向操作具６３は、操縦塔６２にハンドル軸６３ａ（図１３参照）を介して回転操作自在に支持されたステアリングホイールによって構成してある。以下、操向操作具６３をステアリングホイール６３と呼称する。ステアリングホイール６３は、左右一対の後車輪２，２の操向操作部に連係されたステアリングシリンダの操作バルブに連係されている。ステアリングホイール６３は、回転操作されることにより、ステアリングシリンダを駆動操作することで、左右一対の後車輪２，２を操向操作する。
【０１１２】
図７に示すように、操縦塔６２にチルト機構７１を内装してある。チルト機構７１にペダルアーム７２ａが連係されたチルトペダル７２を、運転座席６０の前方下方に、操縦塔６２の下部の後側に位置させて設けてある。チルト機構７１は、操縦塔６２のうちのステアリングホイール６３を支持している上側塔部６２ａを床部３４に固定された下側塔部６２ｂに対して走行車体前後方向に揺動させることにより、ステアリングホイール６３の角度調節を行う。チルト機構７１は、チルトペダル７２が踏込み操作されることによってロック解除状態に切り換え操作され、チルトペダル７２の踏込み操作が解除されることによってロック状態に切り換え操作されるように構成してある。
【０１１３】
従って、チルト機構７１は、チルトペダル７２の踏込み操作の維持によってロック解除状態に維持されながら、ステアリングホイール６３の移動操作によって上側塔部６２ａが走行車体前後方向に揺動操作されることにより、ステアリングホイール６３の取付角度を前後に変更調節する。チルト機構７１は、チルトペダル７２の踏込み操作が解除されてロック状態に切り換え操作されることにより、ステアリングホイール６３の取付角を変更調節した取付角に固定する。
【０１１４】
図１３に示すように、チルトペダル７２の走行車体横方向幅７２Ｗを、チルトペダル７２が操縦塔６２の走行車体横方向での中心Ｔよりも走行車体左横外側方に位置する箇所と、操縦塔６２の走行車体横方向での中心Ｔよりも走行車体右横外側方に位置する箇所とにわたって位置する幅に設定してある。
【０１１５】
従って、運転座席６０のサイドパネル側とは反対側の横側方箇所からこの横側方箇所とは反対側に通路部６４を移動する際も、サイドパネル６１の運転座席側とは反対側の横側方箇所からこの横側方箇所とは反対側に通路部６４を移動する際も、チルトペダル７２に足が届き易くてチルトペダル７２を操作し易い。つまり、チルト機構７１を容易に操作し、ステアリングホイール６３と運転座席６０及びサイドパネル６１との間を通り易いように、ステアリングホイール６３を走行車体前方側に移動させることができる。
【０１１６】
図７，１２に示すように、サイドパネル６１に、主変速操作具７５、アクセル操作具７６、副変速操作具７７及び作業クラッチ操作具７８を設けある。
【０１１７】
主変速操作具７５及びアクセル操作具７６は、サイドパネル６１のうちの車体前方側の部位６１Ｆ（前端寄りの部位）に設けてある。主変速操作具７５は、サイドパネル６１の車体前方側の部位６１Ｆのうち、運転座席寄りの部位に設け、アクセル操作具７６は、サイドパネル６１の車体前方側の部位６１Ｆのうち、主変速操作具７５に対して運転座席６０が位置する側とは反対側の部位に設けてある。
【０１１８】
副変速操作具７７及び作業クラッチ操作具７８は、サイドパネル６１のうちの主変速操作具７５よりも後方に位置する部位に設けてある。副変速操作具７７及び作業クラッチ操作具７８は、サイドパネル６１のうちの車体後方側の部位６１Ｒに設けてある。作業クラッチ操作具７８は、サイドパネル６１の車体後方側の部位６１Ｒのうち、副変速操作具７７に対して運転座席６０が位置する側とは反対側の部位に設けてある。
【０１１９】
図１４，１５，１６に示すうように、主変速操作具７５は、サイドケース７０の上端側部分７０ａの内部において支持部材８０に中継部材８１を介して支持されている。中継部材８１は、支持部材８０に対して走行車体横向きの第１揺動軸芯Ｐ１まわりに揺動自在に連結されている。中継部材８１は、主変速操作具７５の基部７５ａを第１揺動軸芯Ｐ１と異なる方向の第２揺動軸芯Ｐ２まわりに揺動自在に支持している。従って、主変速操作具７５は、第１揺動軸芯Ｐ１まわりに走行車体前後方向に揺動操作することができ、第２揺動軸芯Ｐ２まわりに走行車体横方向に揺動可能である。
【０１２０】
主変速操作具７５は、前輪駆動装置８２（図１参照）に設けられた静油圧式無段変速装置８３（図１参照）の変速操作部に連係されている。以下、静油圧式無段変速装置８３を無段変速装置８３と略称する。主変速操作具７５は、サイドケース７０の内部及びサイドパネル６１に設けてあるレバーガイド８４に案内されて走行車体前後方向に揺動操作されることにより、無段変速装置８３を変速操作することによって、左右一対の前車輪１，１を前進側と後進側とに切り換えて駆動操作し、かつ左右一対の前車輪１，１の前進側及び後進側の駆動速度を無段階に変速操作する。
【０１２１】
詳述すると、図１７に示すように、レバーガイド８４に設けた一つの屈曲形状のガイド溝により、前進高速操作域ＦＨと前進低速操作域ＦＬと中立操作域Ｎと後進操作域Ｒとを走行車体前後方向に連続して並ぶ状態で形成してある。ガイド溝の屈曲により、前進高速操作域ＦＨと前進低速操作域ＦＬとを走行車体横方向に位置ずれして連続する状態で形成してある。前進高速操作域ＦＨのうちの前進低速操作域側とは反対の端縁８４ａ（前進高速操作域ＦＨの両横端のうちの前進低速操作域ＦＬに対して遠い側の横端の縁）と、前進低速操作域ＦＬの前進高速操作域側の端縁８４ｂ（前進低速操作域ＦＬの両横端のうちの前進高速操作域ＦＨに近い側の横端の縁）とを連結する部位８４ｃ（以下、部位８４ｃを連結部位８４ｃと呼称する。）を、後方側ほど前進低速操作域ＦＬに近づく傾斜形状に形成してある。
【０１２２】
主変速操作具７５を前進高速操作域ＦＨに操作することにより、無段変速装置８３が移動走行用の前進高速の駆動状態になる。主変速操作具７５を前進低速操作域ＦＬに操作することにより、無段変速装置８３が作業走行用の前進低速の駆動状態になる。主変速操作具７５を中立操作域Ｎに操作することにより、無段変速装置８３が中立状態になる。主変速操作具７５を後進操作域Ｒに操作することにより、無段変速装置８３が後進走行用の駆動状態になる。
【０１２３】
主変速操作具７５は、無段変速装置８３を中立状態に操作した際、前輪駆動装置８２に設けられた走行ブレーキを入り状態に切り換え操作することで左右一対の前車輪１，１にブレーキを掛けるように、走行ブレーキに連係されている。
【０１２４】
前進高速操作域ＦＨから前進低速操作域ＦＬに操作される主変速操作具７５は、連結部位８４ｃの傾斜形状による案内を受け、途中で停止することなく前進低速操作域ＦＬにスムーズに移動する。従って、走行車体を停止操作する際、主変速操作具７５を前進高速操作域ＦＨから中立操作域Ｎにスムーズに切換え操作することができ、無段変速装置８３を中立状態にスムーズに変速でき、かつ前車輪１にブレーキをスムーズに掛けることができる。
【０１２５】
図１４に示すように、主変速操作具７５は、支持部材８０とレバーガイド８４との位置関係の設定により、前進高速操作域ＦＨ、前進低速操作域ＦＬ、中立操作域Ｎ及び後進操作域Ｒのいずれに操作された状態においても、第２揺動軸芯Ｐ２まわりに運転座席側に傾斜した傾斜姿勢、すなわち握り部側ほど運転座席６０に近づく傾斜姿勢で支持される。従って、主変速操作具７５は、握り部７５ｂが揺動支点となる基部７５ａに対して運転座席側に偏倚した状態で支持される。
【０１２６】
図１５、１６に示すように、副変速操作具７７は、サイドケース７０の後部内に設けた支持部材８６に走行車体前後方向及び走行車体横方向に揺動自在に支持されている。副変速操作具７７は、前輪駆動装置８２に設けられたギヤトランスミッションで成る副変速装置８７（図１参照）の変速操作部に連係されている。副変速操作具７７は、サイドケース７０の内部及びサイドパネル６１に設けてあるレバーガイド８８によって案内されて走行車体前後方向に揺動操作されることにより、副変速装置８７を高速、中速、低速の三段階に変速操作して、左右一対の前車輪１，１の駆動速度の副変速を行う。
【０１２７】
アクセル操作具７６は、サイドケース７０の上端側部分７０ａの内部において支持部材８０に走行車体前後方向に揺動自在に支持されている。アクセル操作具７６は、走行車体前後方向に揺動操作することにより、エンジン４に設けられたアクセル装置を変速操作してエンジン４の回転速度を変更調節するように、アクセル装置に連係されている。アクセル操作具７６は、任意の操作位置に摩擦機構によって保持され、エンジン４を調節した回転速度に保持する。
【０１２８】
図１５，１６に示すように、作業クラッチ操作具７８は、サイドケース７０の後部内において支持部材８５に走行車体前後方向に揺動自在に支持されている。作業クラッチ操作具７８は、エンジン４の出力を収穫装置６、搬送装置８及び細断装置９に伝達する主クラッチの操作部に連係されている。作業クラッチ操作具７８は、走行車体前後方向に揺動操作されることにより、主クラッチを入り状態と切り状態とに切換え操作して、収穫装置６を駆動操作及び停止操作する。
【０１２９】
図７に示すように、サイドパネル６１のうちの作業クラッチ操作具７８を設けてある走行車体後方側の部位６１Ｒの上面６１ＲＵを、走行車体前方側の部位６１Ｆの上面６１ＦＵよりも高く設定してある。作業クラッチ操作具７８は、走行車体前方側に揺動操作した場合、（収穫装置６を駆動操作した場合）、握り部７８ａがサイドパネル６１の走行車体前方側の部位６１Ｆの上方に位置するように構成してある。
【０１３０】
アクセルペダル６６は、エンジン４のアクセル装置を調速操作することによってエンジン４の回転数を変更調節するように、アクセル装置に連係されている。
【０１３１】
ブレーキペダル６５は、踏込操作されることにより、前輪駆動装置８２に設けられた走行ブレーキ８９（図１参照）を入り状態と切り状態に切り換え操作して、左右一対の前車輪１，１を制動状態と制動解除状態とに切換え操作するように、走行ブレーキ８９に連係されている。ブレーキペダル６５を踏込操作すると、検出スイッチが作用して、走行車体の後部の左右に設けてあるブレーキランプが点灯される。
【０１３２】
左右一対の足載せ台６９，６９は、操縦塔６２の両横側の夫々に一つずつ位置するように配置してある。左右の足載せ台６９は、運転座席６０に着座した運転者が前屈み体勢を採る際、使用されることにより、踏ん張りを効かせて前屈み姿勢を採り易くする。左右の足載せ台６９は、下向きに開口するＵ字状に形成されたロッド部材によって構成してある。
【０１３３】
図８，１８に示すように、メータパネル６７は、運転キャビン内のうちの運転キャビン３０の前壁部３１の上端側に、計器盤９１に設けたメータ支持部９１ａに支持された状態で設けてある。計器盤９１は、前壁部３１を支持する横向きの上フレーム４３の所定箇所にステーを取付けて設けられた計器盤支持部４３ｂに支持されている。
【０１３４】
メータパネル６７は、運転キャビン３０の前壁部３１を構成するフロントガラス３１ａの上端３１ｔよりも上方に位置している。メータパネル６７は、運転キャビン３０の走行車体横方向中心Ｃに対して走行車体右横外側方に偏倚している。メータパネル６７が運転キャビン３０の走行車体横方向中心Ｃに対して偏倚している方向は、運転座席６０が運転キャビン３０の走行車体横方向中心Ｃに対して偏倚している方向とは逆方向になっている。メータパネル６７は、運転キャビン３０の走行車体横方向中心Ｃに対し、運転座席６０の主変速操作具７５が位置する側に偏倚している。
【０１３５】
図１９は、メータパネル６７を示す後面図である。図１９に示すように、メータパネル６７は、エンジン４の回転数を表示する回転メータ部９２、エンジン４の稼働時間及びエンジン燃料の残量を表示する液晶表示部９３、バッテリーの充電に関する警告を表示し、かつエンジン４の稼働に関する警告を表示する警告灯部９４、及び方向指示の表示灯９５を備えている。
【０１３６】
計器盤９１のメータ支持部９１ａに、ワイパースイッチ９７及び作業灯スイッチ９８を含んだ第１スイッチ群Ｓ１をメータパネル６７に隣接させて設けてある。第１スイッチ群Ｓ１は、メータパネル６７の車体横方向中央側に隣接している。
【０１３７】
ワイパースイッチ９７は、運転キャビン３０の前外上部に設けたワイパー９９（図４参照）を駆動する電動モータを駆動操作及び停止操作することにより、ワイパー９９を駆動操作及び停止操作するように構成してある。作業灯スイッチ９８は、左右一対の作業灯５１，５１及び左右の別作業灯５２を点灯操作及び消灯操作するように構成してある。
【０１３８】
図８，１８に示すように、サンバイザー６８は、前壁部３１の上端部の内側に上フレーム４３に支持させて設けてある。サンバイザー６８は、支軸６８ａの軸芯まわり上下に揺動操作することにより、下降使用姿勢と上昇格納姿勢とに切り換えることができる。
【０１３９】
図７，１３に示すように、操縦塔６２の上部に運転パネル１００を設けてある。運転パネル１００に、エンジンスタータスイッチ１０１、ホーンスイッチ１０２、方向指示灯スイッチ１０３及び前照灯スイッチ１０４を含む第２スイッチ群Ｓ２を設けてある。運転パネル１００のうち、ハンドル軸６３ａに対して主変速操作具７５が位置する側とは反対側の部位に、上面視でステアリングホイール６３の外周の下方箇所近傍まで延出した延出部１００ａを設けてある。この延出部１００ａに、第２スイッチ群Ｓ２のうちの方向指示灯スイッチ１０３及び前照灯スイッチ１０４を設けてある。
【０１４０】
エンジンスタータスイッチ１０１は、エンジンキーを差し入れて操作されることにより、エンジンスタータ装置を駆動操作することによってエンジン４を始動させるように、エンジンスタータ装置の駆動回路に連係させてある。
【０１４１】
ホーンスイッチ１０２は、入り操作されることによって警報ホーンを作動操作するように、ホーン制御器１１３（図２１参照）に連係させてある。
【０１４２】
方向指示灯スイッチ１０３及び前照灯スイッチ１０４は、コンビネーションスイッチによって構成してある。方向指示灯スイッチ１０３は、操作レバー１０３ａの揺動操作によって切換え操作されることにより、左右の方向指示灯のうち、操作レバー１０３ａの操作方向に対応した方向指示灯を点灯操作するように、方向指示灯の制御ユニット１１２（図２１参照）に連係させてある。
【０１４３】
前照灯スイッチ１０４は、操作部１０４ａの回転操作によって消灯位置、下向き点灯位置及び上向き点灯位置の三位置に切換え自在なスイッチによって構成してある。
【０１４４】
前照灯スイッチ１０４は、下向き点灯位置に操作されることにより、左横端端寄り及び右横端寄りそれぞれの２個の下前照灯５３，５４のうちの走行車体横内側の下前照灯５４を点灯操作するように構成してある。従って、この場合、４個の下前照灯５３，５４で成る下前照灯全体としては、下向き照射状態になる。前照灯スイッチ１０４による左横端端寄り及び右横端寄りそれぞれの車体横内側の下前照灯５４の点灯操作によって左右一対の上前照灯５０，５０が点灯操作されるように構成してある。従って、前照灯スイッチ１０４を下向き点灯位置に操作することにより、左横端端寄り及び右横端寄りそれぞれの下前照灯５４及び左右一対の上前照灯５０，５０を点灯させることができる。
【０１４５】
前照灯スイッチ１０４は、上向き点灯位置に操作されることにより、左横端端寄り及び右横端寄りそれぞれの２個の下前照灯５３，５４のうちの走行車体横外側の下前照灯５３を点灯操作するように構成してある。従って、この場合、４個の下前照灯５３，５４で成る下前照灯全体としては、上向き照射状態になる。前照灯スイッチ１０４による左横端端寄り及び右横端寄りそれぞれの走行車体横外側の下前照灯５３の点灯操作によって左右一対の上前照灯５０，５０が点灯操作されるように構成してある。従って、前照灯スイッチ１０４を上向き点灯位置に操作することにより、左横端端寄り及び右横端寄りそれぞれの下前照灯５３及び左右一対の上前照灯５０，５０を点灯させることができる。
【０１４６】
図５，６に示すように、サイドケース７０に対して運転座席６０が位置する側とは反対側に、制御装置１０６を設けてある。具体的には、図２０に示すように、制御装置１０６は、サイドケース７０に対して運転座席６０が位置する側とは反対側において床面３４ａと後壁部３３とによって形成される隅部１０７に、支持台１０８に支持された状態で設けてある。隅部１０７のうちの支持台１０８よりも下方の部位に、後壁部３３の下端部３３ｂを支持台１０８の支持台本体部１０８ａに平行な傾斜姿勢で配備してある。制御装置１０６の運転部内側をカバー１０９によって覆ってある。
【０１４７】
図２０に示すように、支持台１０８は、制御装置１０６を載置されて支持する支持台本体部１０８ａと、支持台本体部１０８ａから前方に延出した前取付部１０８ｂと、支持台本体部１０８ａから後方に延出した後取付部１０８ｃとを備えている。支持台１０８は、前取付部１０８ｂを床面３４ａに当て付けて連結ネジによって連結し、後取付部１０８ｃを後壁部３３に当て付けて連結ネジによって連結することによって支持されている。支持台本体部１０８ａの取付姿勢が後端側ほど高くなる傾斜状態の取付姿勢になっている。
【０１４８】
カバー１０９は、制御装置１０６の上方に支持台本体部１０８ａと平行又はほぼ平行に位置する上カバー部１０９ａと、上カバー部１０９ａの両横端部から支持台１０８に向かって延出した横カバー部１０９ｂとを備えている。カバー１０９は、左右の横カバー部１０９ｂを支持台１０８に連結ネジによって連結することによって支持されている。
【０１４９】
図２１は、制御装置１０６を示す横断平面図である。図２１に示すように、制御装置１０６は、支持台本体部１０８ａに固定されるケース１１１と、ケース１１１に収容された方向指示灯の制御ユニット（フラッシャユニット）１１２と、ホーン制御器１１３と、油圧駆動の電子制御ユニット１１４と、リレー回路装置１１５とを備えている。
【０１５０】
図１４は、主変速操作具７５と無段変速装置８３とを連係する主変速連係機構１２０、及び副変速操作具７７と副変速装置８７とを連係する副変速連係機構１３０を示す正面図である。図１５は、主変速連係機構１２０及び副変速連係機構１３０を示す側面図である。図１６は、主変速連係機構１２０及び副変速連係機構１３０を示す斜視図である。
【０１５１】
図１４，１５，１６に示すように、主変速連係機構１２０は、主変速操作具７５と支持部材８０とを連結する中継部材８１に第１揺動軸芯Ｐ１まわりに一体揺動自在に設けたレバー側揺動アーム１２１と、無段変速装置８３（図１参照）の操作部に連係された回転連動軸１２２に一体回動自在に設けた軸側揺動アーム１２３と、この軸側揺動アーム１２３とレバー側揺動アーム１２１とを連結する連動ロッド１２４とを備えている。
【０１５２】
図１４，１５，１６に示すように、副変速連係機構１３０は、副変速操作具７７と支持部材８６とを連結する中継部材１３１に一体回動自在に設けたレバー側揺動アーム１３２と、副変速装置８７（図１参照）の操作部に連係された連動筒軸１３３に一体回転自在に設けた軸側揺動アーム１３４と、この軸側揺動アーム１３４とレバー側揺動アーム１３２とを連結する連動ロッド１３５とを備えている。連動筒軸１３３と回転連動軸１２２とは、連動筒軸１３３が回転連動軸１２２に相対回転自在に外嵌した二重軸に構成してある。
【０１５３】
副変速連係機構１３０が備える連動ロッド１３５の長さを、主変速連係機構１２０が備える連動ロッド１２４の長さよりも長く設定してある。レバー側揺動アーム１２１及びレバー側揺動アーム１３２に、連動ロッド１２４，１３５の誤った連結向きでの連結を防止するストッパー１２１ａ，１３２ａを設けてある。軸側揺動アーム１２３とレバー側揺動アーム１３２とを通る直線上に、レバー側揺動アーム１３２に対する誤った連動ロッドの連結を防止するストッパー１３６を設けてある。ストッパー１３６は、支持部材１３７を介して支柱１３８に固定してある。
【０１５４】
従って、主変速操作具７５が副変速装置８７に誤って連係される誤作業、及び副変速操作具７７が無段変速装置８３に誤って連係される誤作業を回避できるようになっている。
つまり、レバー側揺動アーム１２１にあっては、連動ロッド１２４のジョイント１２４ａを矢印１２５で示す連結方向から連結するべきであるのに、反対の連結方向から連結しようとすると、ジョイント１２４ａがストッパー１２１ａに当たって受け止められることにより、連結できない。レバー側揺動アーム１３２にあっては、連動ロッド１３５のジョイント１３５ａを矢印１３９で示す連結方向から連結するべきであるのに、反対の連結方向から連結しようとすると、ジョイント１３５ａがストッパー１３２ａに当たって受け止められることにより、連結できない。
【０１５５】
主変速連係機構１２０のための連動ロッド１２４を、主変速連係機構１２０の軸側揺動アーム１２３に連結した後、副変速連係機構１３０のレバー側揺動アーム１３２に連結しようとしても、連動ロッド１２４の長さが短過ぎることによって連結できない。副変速連係機構１３０のための連動ロッド１３５を、副変速連係機構１３０の軸側揺動アーム１３４に連結した後、主変速連係機構１２０のレバー側揺動アーム１２１に連結しようとしても、連動ロッド１３５の長さが長過ぎることによって連結できない。
【０１５６】
副変速連係機構１３０のための連動ロッド１３５を、副変速連係機構１３０のレバー側揺動アーム１３２に連結した後、主変速連係機構１２０の軸側揺動アーム１２３に連結しようとすると、連動ロッド１３５がストッパー１３６に当接して受け止められて軸側揺動アーム１２３に連結できない。
【０１５７】
副変速連係機構１３０のための連動ロッド１３５を、副変速連係機構１３０のレバー側揺動アーム１３２に連結した後、副変速連係機構１３０の軸側揺動アーム１３４に連結しようとした際、この軸側揺動アーム１３４に主変速連係機構１２０のための連動ロッド１２４が既に連結されていると、連動ロッド１３５を軸側揺動アーム１３４に連結できるにもかかわらず、連動ロッド１２４が既に連結していることにより、この連動ロッド１２４の連結が誤りであることを認識できる。
【０１５８】
〔別実施形態〕
図２２は、別の実施構造を備えた収穫機を示す側面図である。別の実施構造を備えた収穫機は、稲、麦など植立穀稈を収穫装置６によって刈取るように構成し、収穫装置６から搬送装置８によって搬送された刈取り穀稈を脱穀処理する脱穀装置１４１、及び脱穀装置１４１からの脱穀粒を貯留する穀粒タンク１４２を備えている。
〔別実施例〕
【０１５９】
（１）上記した実施例では、上前照灯５０及び下前照灯５３，５４を複数個、設けた例を示したが、上前照灯及び下前照灯を一個ずつ設けて実施してもよい。
【０１６０】
（２）上記した実施例では、上前照灯５０及び下前照灯５３，５４の複数個を、運転キャビン３０の左右の横端寄りの部位に分けて設けて例を示したが、運転キャビン３０の中央寄りの部位に纏めて設けて実施してもよい。
【０１６１】
（３）上記した実施例では、４個の下前照灯５３，５４を設けた例を示したが、３個以下あるいは、５個以上、設けて実施してもよい。
【０１６２】
（４）前下向き照射と、前下向きよりも上向きの照射との切換えを可能にするのに、上記した実施例では、照明光を前下向きに照射する下向き照射専用の前照灯と、照明光を前下向きよりも上向きに照射する上向き照射専用の前照灯とを採用することで可能にした例を示した、前下向き照射の機能と前下向きよりも上向き照射の機能との両機能を備えた前照灯を採用することで可能にして実施してもよい。また、両機能を備えた前照灯としては、両機能を同一のバルブに備えさせて成る前照灯、あるいは、両機能を別々に備えた一対のバルブをまとめて一つの前照灯に備えさせて成る前照灯を採用してもよい。
【０１６３】
（５）上記した実施例では、収穫したトウモロコシを収穫物回収タンク７に貯留するよう構成した例を示したが、収穫したトウモロコシを脱穀するように構成して、あるいは収穫したトウモロコシを車体外に放出しながら作業するように構成して実施してもよい。
【産業上の利用可能性】
【０１６４】
本発明は、トウモロコシ、稲及び麦を収穫対象とする収穫機の他、ニンジン、サトウキビ、大豆など各種の作物を収穫対象とする収穫機に利用できる。
【符号の説明】
【０１６５】
６            収穫装置
１２          収穫経路
１７          縦壁部
３０          運転キャビン
３１          前壁部
３４          床部
３５          ルーフ部
４１          下フレーム
４２          縦フレーム
４３          上フレーム
５０          上前照灯
５１          作業灯
５２          別の作業灯
５３，５４    下前照灯
【図１】
2014200220.tif 000003
【図２】
2014200220.tif 000004
【図３】
2014200220.tif 000005
【図４】
2014200220.tif 000006
【図５】
2014200220.tif 000007
【図６】
2014200220.tif 000008
【図７】
2014200220.tif 000009
【図８】
2014200220.tif 000010
【図９】
2014200220.tif 000011
【図１０】
2014200220.tif 000012
【図１１】
2014200220.tif 000013
【図１２】
2014200220.tif 000014
【図１３】
2014200220.tif 000015
【図１４】
2014200220.tif 000016
【図１５】
2014200220.tif 000017
【図１６】
2014200220.tif 000018
【図１７】
2014200220.tif 000019
【図１８】
2014200220.tif 000020
【図１９】
2014200220.tif 000021
【図２０】
2014200220.tif 000022
【図２１】
2014200220.tif 000023
【図２２】
2014200220.tif 000024